(57)【要約】【課題】  撮影機材を収納するトランクの機能性を高めるため、軽量でコンパクトな一脚を利用し、カメラの静止固定を可能とする。【解決手段】  トランク本体１１の内側底面に補強板２１、２２を固定するとともに、この補強板２１、２２に、一脚式ポールの下端部を支持する固定手段４１、５０を設ける。固定手段４１、５０を介して一脚式ポールの下端部を支持し、トランク本体１１の底面の比較的大きな面積を利用して、一脚式ポールのぐらつきを抑える。一脚式ポールを下端部とそれより上方の二点で固定すれば、野外における望遠撮影のように、風の影響を考慮すべき場合でもカメラの動きをほぼ完全に抑えることが出来る。一脚式ポールの下端部を支持する固定手段４１、５０は、トランク本体１１の内側底面の略中央に配することが望ましい。【選択図】    図１
2006091688.tif 000002
【特許請求の範囲】
【請求項１】
トランク本体の内側底面に補強板を固定するとともに、
この補強板に、一脚式ポールの下端部を支持する固定手段を設けることを特徴とする撮影機材用トランク。
【請求項２】
固定手段は、トランク本体の内側底面の略中央に配することを特徴とする請求項１記載の撮影機材用トランク。
【請求項３】
補強板は、二つの長方形板材を組み合わせて略Ｘ字状を呈するように配することを特徴とする請求項１または請求項２記載の撮影機材用トランク。
【発明の詳細な説明】
【技術分野】
【０００１】
本発明は、各種の撮影カメラおよび付属機材を収納するためのトランク（鞄）に係り、とくに、カメラの固定撮影時に必要な脚（ポール；支柱）の取り扱いを容易にするための技術に関する。
【背景技術】
【０００２】
写真撮影用のカメラや、動画撮影用のカメラは、必要に応じて固定して用いることがある。この場合、カメラの完全な静止固定を要する場合は三脚（トライポッド）を用いるのが普通である。
【０００３】
しかし、三脚は折り畳んでもかさばるし重量もあるため、スローシャッターをきるときに上下のぶれを防止できればよいという場合には、軽量な一脚式ポール（モノポッド）が利用される。カメラ用の一脚式ポールは、三脚とは違って完全な固定が出来ないが、高い位置にある被写体を写すときや、重量のある望遠レンズを使用したり、シャッタースピードを懸念する場合のように手ぶれが起きやすい場合には便利な機材である。
【０００４】
ところで、従来、一脚（モノポッド）は軽いけれども使用するのが難しい機材とされた。三脚のようにカメラを完全に固定できるわけではなく、あくまで補助的な撮影器具にすぎないからである。
【０００５】
一方、重量のある撮影機材をトランクに入れて持ち運ぶ場合は、かさばる三脚の収納スペースがなくなるなど、重量だけでなく荷物の嵩（容積）との関係で、不便を感ずることが少なくなかった。これは、旅行のような個人的な撮影移動の時もそうであるが、むしろ仕事としての撮影時に作業効率を損なう大きな原因となっていた。仕事としての撮影というのは、例えば、修理が難しい複雑な装置機械類の担当者が、現場において撮影した映像を遠隔地にある管理センター等で確認した上で専門職から適切な指示を与える場合や、テレビの撮影クルーの仕事などである。このようなケースでは、従来は三脚をたててカメラを設置することがいわば当然とされていた。
【特許文献１】なし
【発明の開示】
【発明が解決しようとする課題】
【０００６】
そこで、本発明の目的は、撮影機材を収納するトランクの機能性を高めることにより、軽量でコンパクトな一脚を利用しつつ、カメラの完全な静止固定を可能とすることにある。
【課題を解決するための手段】
【０００７】
前記目的を達成するため、請求項１に係る撮影機材用トランクは、トランク本体の内側底面に補強板を固定するとともに、この補強板に、一脚式ポールの下端部を支持する固定手段を設ける。
【０００８】
かかる構成によれば、固定手段を介して一脚式ポールの下端部を支持でき、トランク本体の底面の比較的大きな面積を利用して、一脚式ポールのぐらつきを抑えることが出来る。このため、カメラの上下左右のぶれをほぼ完全に抑えて撮影することが可能となる。一脚式ポールを立設するときには必然的にトランクの蓋体を開ける。立設させた一脚式ポールを、適宜の連結手段を介してトランクの蓋体と連結させれば、一脚式ポールは下端部とそれより上方の二点で固定できるため、野外における望遠撮影のように、風の影響を考慮すべき場合でもカメラの動きをほぼ完全に抑えることが出来る。
【０００９】
請求項２は、一脚式ポールの下端部を支持する固定手段を、トランク本体の内側底面の略中央に配するものである。これにより、一脚式ポールは、トランク本体の底面の形状と面積をバランスよく利用でき、転倒を確実に防止する。
【００１０】
請求項３は、二つの長方形板材を組み合わせて、略Ｘ字状を呈するよう補強板を設けるものである。トランク本体の内側底面に配する補強板の形状を略Ｘ字状とすることにより、補強板の面積を減少させ、トランク全体の重量を軽減することが可能となる。また補強板の形状を略Ｘ字状とすれば、補強板にかかる加重をトランク本体の底面の面積を大きく使って均等に分散できるため、カメラの安定度も向上する。
【発明の効果】
【００１１】
本発明に係る撮影機材用トランクによれば、重量があり嵩張る三脚を利用するまでもなく、軽量コンパクトな一脚を用いてカメラを完全に静止固定することが出来、撮影機材の携行の利便を格段に向上させることが可能となる。
【発明を実施するための最良の形態】
【００１２】
図１は、本発明に係る撮影機材用トランクを例示するものである。１０は、トランク、１１は、トランク本体、１２は、トランク蓋体である。トランク１０を地面、床、テーブル等の上において使用するきには、トランク蓋体１２が上になるようトランク本体１１の外側面を下にする。
【００１３】
トランク本体１１の内側の底面には、補強板２１、２２を略Ｘ字状に組み合わせて固定する。３１は、補強板２１、２２を四隅で固定するためのビスである。ビス３１は、四隅以外の適宜箇所に配しても良い。
【００１４】
補強板２１、２２の表面の高さは同一とすることが望ましい。このため、例えば、一方の補強板２１を長尺として、他方の補強板２２を端寸とし、二つに分けた補強板（２２ａ、２２ｂ）を長尺の補強板２１の略中央部に溶接等の手段によって固定する。
【００１５】
補強板２１、２２は、出来るだけ軽量化することが望まれる。このため、例えばアルミニウム金属のように難錆の軽量金属を用い、横幅の寸法を例えば３〜５ｃｍ、肉厚を３〜７ｍｍ程度に設定する。長手方向の寸法は、好ましくは、トランク本体１１の内側底面の四隅に達する程度にしておく。短くしても通常の場合は支障がないが、重量のあるカメラを風の強い条件下で使用する場合など、安定性能を高めるためには、補強板２１、２２の長手方向の寸法を大きく設定しておく方が有利である。
【００１６】
４１は、一脚式ポールの下端部を支持する受けリングである。受けリング４１は、トランク本体１１の内側底面の略中央部で見かけ上クロスする補強板２１、２２の交点に設けることが望ましい。受けリング４１は、一脚式ポールの下端部の動きを拘束できればよいので、目的を達成するに十分な高さ、例えば１０ｍｍ前後の寸法に設計しておけばよい。
【００１７】
５０は、受けリング４１の上方で一脚式ポールを支持する固定スタンドである。この固定スタンド５０は、補強板２１、２２に固定した四本の脚部５１と、脚部５１の上に配した締め付け部材５３とからなる。固定スタンド５０は、トランク蓋体１２を閉めることが出来るよう高さを設定しておく。
【００１８】
締め付け部材５３は、例えば図２に示すように、ベース板５４と、このベース板５４の上に固定したテーパリング５５と、テーパリング５５の孔の中に取り外し自由に配した弾性のあるパッキン５６と、テーパリング５５の外側のネジ山５７に螺合するキャップリング５８とによって構成する。５９は、キャップリング５８の内側に設けたネジ山、６０は、パッキン５６を下方移動させるためにキャップリング５８の内側に設けた棚部、Ｐは一脚式ポールである。
【００１９】
ベース板５４、テーパリング５５、パッキン５６、キャップリング５８は、一脚式ポールを挿通させるための孔を備えている。テーパリング５５は、下方に向かって小さくなるテーパを備え、パッキン５６は、その内面に応じた外面形状を備える。図面ではパッキン５６の内周もテーパ状に示してあるが、パッキン５６の孔は必ずしもテーパである必要はない。
【００２０】
パッキン５６は、キャップリング５８を回転させて押し下げられたときに、孔の内径が小さくなり、一脚式ポールＰの外周に密着して一脚式ポールＰの自由な動きを拘束できるものであれば良い。
【００２１】
従って、かかる構成によれば、トランク１０に撮影用の機材を入れて持ち運び、撮影現場において、一脚式ポールＰを立ててカメラを固定させた状態で撮影を行うことが出来る。一脚式ポールＰを立てるときには、トランク１０を床面やテーブルなど適当な場所に配置し、トランク蓋体１２を開け、固定スタンド５０の孔に一脚式ポールＰを通し、受けリング４１にポールの下端を支持させつつ、キャップリング５８を締めればよい。キャップリング５８は、テーパリング５５の外側のネジ山５７に螺合しているから、これを回して締めれば内部のパッキン５６が押し下げられて孔を収縮させ、一脚式ポールＰの外周に密着して当該一脚式ポールＰの動きを拘束する。
【００２２】
一脚式ポールＰは、受けリング４１とその上方にある締め付け部材５３の二点において支えられるから、前後左右のぶれも上下のぶれも起こさない。カメラの種類によっては大きな重量を支える必要が生ずることもあるが、カメラの重量や風によるぶれ（揺動）が心配されるときには、トランク蓋体１２に拘束ベルトを配して、この拘束ベルトを介して一脚式ポールＰを支持しても良い。この場合、一脚式ポールＰは上下方向の三点で支持されるから、前後左右のぶれも上下のぶれも確実に防止出来る。また一脚式ポールＰに外力が加わったときは、受けリング４１と固定スタンド５０の脚部５１を介して、Ｘ字状をなす補強板２１、２２に伝達され、トランク本体１１の底面全体で支えるようになっているから、転倒などの問題は生じない。
【００２３】
かかる構成のトランク１０を利用すれば、修理に高度の知識を要する機械装置類の補修時にも、管理センター等へ動画を送信し、適切な指示を受けることが可能となり、修理やメンテナンス作業を格段に効率化させることが出来る。また、固定カメラの設置を必要としない保安警備のための臨時カメラを簡単に設置できるなど、幅広い用途に使用することが出来る。
【００２４】
なお、本発明に係る撮影機材用トランクは、前記構成に限定されない。例えば、荷重を分散しトランク本体１０の変形を防止する補強板（２１、２２）は、適宜形状の一枚パネルや打ち抜きパネル（例えば升目形）を利用しても良いし、図３に示すように、相似形をなす枠板材６１を連絡板６２によってつないで力を分散させても良い。
【００２５】
また前記説明では、二つに分けた補強板（２２ａ、２２ｂ）を長尺の補強板２１の略中央部に溶接等の手段によって固定する旨説明したが、補強板に凹部または凸部を形成し、凹凸の噛み合わせによって補強板を略Ｘ字状または適宜形状に組み合わせても良い。
【００２６】
一脚式ポールの下端部を支持する部材として、受けリング４１を使用する旨説明したが、一脚式ポールの下端部を支持する部材は、完全な環である必要はない。下端部の動きを拘束できればよいから、十分な剛性があれば、三点支持や四点支持をする突起でも受けリング４１と同一の効果を奏する。また補強板に凹部を設けて受けリング４１と同じ効果を実現することも出来る。
【００２７】
受けリング４１の上方で一脚式ポールを支持する固定スタンド（５０）は、四本の脚部（５１）をもつ旨説明したが、脚部は最低三本あれば機能上の支障はない。もちろん四本以上の脚部を設けても良いし、軽量であるなら四本の脚部（５１）に代えて筒状の部材等を用いてもかまわない。しかしながら、トランクという限られたスペースを最大限に有効利用すべき物品であるから、できるだけ多くの隙間を確保して機材の収納量を高めることが望まれる。隙間があればコード類やバッテリなど小さな機材も収まるからである。
【００２８】
また前記説明では、締め付け部材５３を、テーパリング５５、パッキン５６、キャップリング５８を利用して構成する旨説明したが、一脚式ポールＰの上下および前後左右の動きを拘束する構造は、これに限定されない。例えば、一脚式ポールＰに横方向の孔を設け、この横孔にピンを挿通させてネジ固定しても同様の効果を得る。リング状のバネ材をネジによって締めて内径を収縮させても、一脚式ポールＰの自由な動きを拘束できる。
【００２９】
なお、トランク本体１１の底面（補強板の上）には、弾力性のあるシート材を配して撮影用機材を傷つけないようにすることが望ましい。トランク蓋体１２の内面も同じである。トランクは限定されない。
【図面の簡単な説明】
【００３０】
【図１】実施形態に係る撮影機材用トランクを例示する図である。
【図２】実施形態に係る締め付け部材（固定手段）を例示する断面図である。
【図３】本発明に係る補強板の他の実施形態を例示する図である。
【符号の説明】
【００３１】
１０  トランク
１１  トランク本体
１２  トランク蓋体
２１、２２（２２ａ、２２ｂ）  補強板
３１  ビス
４１  受けリング（固定手段）
５０  固定スタンド（固定手段）
５１  脚部
５３  締め付け部材
５４  ベース板
５５  テーパリング
５６  パッキン
５７、５９  ネジ山
５８  キャップリング
６０  棚部
６１  枠板材
６２  連絡板
【図１】
2006091688.tif 000003
【図２】
2006091688.tif 000004
【図３】
2006091688.tif 000005